(57)【要約】【課題】機能や強度、および外観デザインの向上を図ったプロジェクターを提供する。【解決手段】プロジェクター１は、光源から射出された光を画像情報に応じて変調し、変調した光を投写する光学ユニットと、光学ユニットが内部に配置される外装筐体２と、入力操作される入力操作部５０と、入力操作部５０を保持し、外装筐体２に収納されて入力操作部５０が外装筐体２に覆われる第１状態と、第１状態から移動されて入力操作部５０が露出する第２状態とが切り替え可能な保持部６と、保持部６の第１状態と第２状態との切り替えに連動するカバー８と、を備え、カバー８は、第１状態において、外装筐体２に収納され、第２状態において、収納部２５の一部を覆い、外装筐体２外部から視認可能に配置される。【選択図】図２
2014228618.tif 000002
【特許請求の範囲】
【請求項１】
光源から射出された光を画像情報に応じて変調し、変調した光を投写する光学ユニットと、前記光学ユニットが内部に配置される外装筐体とを備えるプロジェクターであって、
入力操作される入力操作部と、
前記入力操作部を保持し、前記外装筐体に収納されて前記入力操作部が当該外装筐体に覆われる第１状態と、前記入力操作部が露出する第２状態とが切り替え可能な保持部と、
前記保持部の前記第１状態と前記第２状態との切り替えに連動するカバーと、
を備え、
前記カバーは、前記第１状態において、前記外装筐体に収納され、前記第２状態において、前記外装筐体における前記保持部を収納する収納部の一部を覆い、前記外装筐体外部から視認可能に配置されることを特徴とするプロジェクター。
【請求項２】
請求項１に記載のプロジェクターであって、
前記カバーは、前記第１状態と前記第２状態との切り替えのために移動する前記保持部の押圧、および前記押圧の解除により回転することを特徴とするプロジェクター。
【請求項３】
請求項１または請求項２に記載のプロジェクターであって、
前記外装筐体は、第１筐体、および前記第１筐体に組み合わされる第２筐体を有し、
前記収納部内には、前記第１筐体と前記第２筐体とを固定する固定部が配置され、
前記保持部は、前記第１状態において前記固定部を覆い、
前記カバーは、前記第２状態において前記固定部を覆うことを特徴とするプロジェクター。
【請求項４】
請求項１〜請求項３のいずれか一項に記載のプロジェクターであって、
前記保持部は、前記第２状態における前記外装筐体に対する飛び出し量が前記第１状態における前記外装筐体に対する飛び出し量より大きくなるように、回転することを特徴とするプロジェクター。
【請求項５】
請求項４に記載のプロジェクターであって、
前記保持部を回転可能に支持する支持機構を備え、
前記支持機構は、前記保持部を回転可能に支持した状態で前記外装筐体に組み込まれるように構成されていることを特徴とするプロジェクター。
【請求項６】
請求項３に記載のプロジェクターであって、
前記カバーは、前記第１筐体と前記第２筐体とで軸支される軸部を有し、前記第１状態と前記第２状態との切り替えのために移動する前記保持部の押圧、および前記押圧の解除によって、前記軸部を中心に回転することを特徴とするプロジェクター。
【請求項７】
請求項１〜請求項６のいずれか一項に記載のプロジェクターであって、
前記保持部は、前記外装筐体の側面側に配置され、前記入力操作部は、前記第２状態において前記保持部の上側に位置することを特徴とするプロジェクター。
【発明の詳細な説明】
【技術分野】
【０００１】
本発明は、プロジェクターに関する。
【背景技術】
【０００２】
従来、光源から射出された光を画像情報に応じて変調し、変調した光をスクリーン等の投写面に投写するプロジェクターが知られている。プロジェクターは、プロジェクターの各種指示を行うための操作部を備えている。この操作部は、各種操作ボタン等を有し、外装筐体に配置されている。そして、外装筐体表面の突出部を減らすとともに、操作部の保護を目的とするプロジェクターが提案されている（例えば、特許文献１参照）。
【０００３】
特許文献１に記載のプロジェクター（液晶プロジェクター）は、外装筐体の上面の一部にくぼみ部を形成して、くぼみ部の一部に操作部を設けるとともに、くぼみ部の一部を覆い、かつくぼみ部内で回転可能に操作部カバー部材を設けている。そして、特許文献１に記載のプロジェクターは、この操作部カバー部材が回転されることにより、操作部の開放／閉鎖を可能に構成されている。
【先行技術文献】
【特許文献】
【０００４】
【特許文献１】特開２０００−１９４７９号公報
【発明の概要】
【発明が解決しようとする課題】
【０００５】
しかしながら、特許文献１に記載の技術では、操作部の開放／閉鎖の双方において段差が生じる。すなわち、操作部の開放時には、操作部と外装筐体の表面との間で段差が生じ、操作部の閉鎖時には、くぼみ部と外装筐体の表面との間で段差が生じる。
さらに、くぼみ部の操作部が配置されていない部位は、操作部の閉鎖時に外部に露出することとなるので、操作部カバー部材の回転によってこの部位および操作部に傷がつかないように構成することが必要である。また、操作部カバー部材を安定して回転させるためには、操作部カバー部材の強度が必要である。これらによって、前述した段差が大きなものになることや、外装筐体と操作部カバー部材とで質感や色合い等が異なることが考えられる。つまり、特許文献１に記載のプロジェクターは、操作部、くぼみ部および操作部カバー部材がデザイン上の制約となって構成されており、外観上、操作部の開放／閉鎖の双方において、プロジェクターのユーザーに違和感を与えてしまう恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光を画像情報に応じて変調し、変調した光を投写する光学ユニットと、前記光学ユニットが内部に配置される外装筐体とを備えるプロジェクターであって、入力操作される入力操作部と、前記入力操作部を保持し、前記外装筐体に収納されて前記入力操作部が当該外装筐体に覆われる第１状態と、前記入力操作部が露出する第２状態とが切り替え可能な保持部と、前記保持部の前記第１状態と前記第２状態との切り替えに連動するカバーと、を備え、前記カバーは、前記第１状態において、前記外装筐体に収納され、前記第２状態において、前記外装筐体における前記保持部を収納する収納部の一部を覆い、前記外装筐体外部から視認可能に配置されることを特徴とする。
【０００８】
この構成によれば、プロジェクターは、入力操作部を保持して、第１状態と第２状態とが切り替え可能な保持部、および保持部に連動するカバーを備えている。そして、第１状態では、保持部は、収納部に収納されて入力操作部が外装筐体に覆われ、カバーは、外装筐体に収納される。これによって、プロジェクターのデザイン上の制約となる入力操作部を隠蔽し、入力操作部を使用しない状態におけるプロジェクターのデザインの自由度を向上させることができる。
また、第２状態では、入力操作部が露出し、カバーは、外装筐体の収納部の一部を覆い、外装筐体外部から視認可能に配置される。つまり、カバーは、第２状態において、カバーが設けられていない構成において露出することとなる収納部の一部を覆うこととなる。これによって、プロジェクターの見栄えを損なうことなく入力操作部を操作可能な状態にすることが可能となる。
したがって、収納部内に外観上、見栄えを損なう要素（例えば、プロジェクター内に配置される部材を調整するための治具を挿入する孔や、部材を固定するための固定部材等）を配置する構成が可能となるので、機能や強度、および外観デザインの向上を図ったプロジェクターの提供が可能となる。また、入力操作部を使用しない状態における入力操作部の保護や塵埃等の付着、および入力操作部の誤操作を防止できる。
【０００９】
［適用例２］上記適用例に係るプロジェクターにおいて、前記カバーは、前記第１状態と前記第２状態との切り替えのために移動する前記保持部の押圧、および前記押圧の解除により回転することが好ましい。
【００１０】
この構成によれば、カバーを保持部の移動に容易に連動させ、第１状態においてカバーを外装筐体に収納し、第２状態においてカバーを、収納部の一部を覆うように配置させることができる。
【００１１】
［適用例３］上記適用例に係るプロジェクターにおいて、前記外装筐体は、第１筐体、および前記第１筐体に組み合わされる第２筐体を有し、前記収納部内には、前記第１筐体と前記第２筐体とを固定する固定部が配置され、前記保持部は、前記第１状態において前記固定部を覆い、前記カバーは、前記第２状態において前記固定部を覆うことが好ましい。
【００１２】
この構成によれば、収納部内で第１筐体と第２筐体とを固定させることができるとともに、第１状態および第２状態において固定部を外部から見えなくすることができる。よって、第１筐体と第２筐体との固定を強固なものとしつつ、第２状態において露出する収納部内の見栄えの向上が図れる。
【００１３】
［適用例４］上記適用例に係るプロジェクターにおいて、前記保持部は、前記第２状態における前記外装筐体に対する飛び出し量が前記第１状態における前記外装筐体に対する飛び出し量より大きくなるように、回転することが好ましい。
【００１４】
この構成によれば、保持部は、上述したように第１状態と第２状態とが切り替えられるので、第２状態において、外装筐体外部から治具等の部材を収納部内に挿入可能とする開口部を外装筐体との間に設けるように構成することが可能となる。これによって、保持部を第２状態にすることで、外装筐体との開口部から容易に収納部やプロジェクター内に配置される部材の調整や、部材の固定等が可能となる。
【００１５】
［適用例５］上記適用例に係るプロジェクターにおいて、前記保持部を回転可能に支持する支持機構を備え、前記支持機構は、前記保持部を回転可能に支持した状態で前記外装筐体に組み込まれるように構成されていることが好ましい。
【００１６】
この構成によれば、支持機構に保持部を回転可能とする構成が盛り込まれているので、プロジェクター本体には、支持機構を取り付ける構成が盛り込まれていれば、保持部を回転可能に支持する構成を盛り込む必要がない。これによって、外装筐体等の構造や形状の簡素化、および保持部のプロジェクター本体への組み込み作業の容易化が可能となる。
【００１７】
［適用例６］上記適用例に係るプロジェクターにおいて、前記カバーは、前記第１筐体と前記第２筐体とで軸支される軸部を有し、前記第１状態と前記第２状態との切り替えのために移動する前記保持部の押圧、および前記押圧の解除によって、前記軸部を中心に回転することが好ましい。
【００１８】
この構成によれば、カバーは、固定部によって固定される第１筐体および第２筐体を利用して、回転可能に支持されるので、保持部の押圧、および押圧の解除によってカバーを回転させる構成を容易に実現することができる。
【００１９】
［適用例７］上記適用例に係るプロジェクターにおいて、前記保持部は、前記外装筐体の側面側に配置され、前記入力操作部は、前記第２状態において前記保持部の上側に位置することが好ましい。
【００２０】
この構成によれば、入力操作部は、入力操作が可能な第２状態において、保持部の上側に配置されるので、プロジェクターを机上等に設置した場合等に、入力操作部を操作するユーザーが容易に入力操作部を視認して操作することができる。
【図面の簡単な説明】
【００２１】
【図１】本実施形態のプロジェクターの概略構成を示す模式図。
【図２】本実施形態のプロジェクターの外観を模式的に示す斜視図。
【図３】本実施形態の収納部近傍のロアーケースの斜視図。
【図４】本実施形態の収納部近傍のアッパーケースの斜視図。
【図５】本実施形態の操作ユニットの第２状態を示す斜視図。
【図６】本実施形態の操作ユニットの第２状態を示す断面図。
【図７】本実施形態の入力操作部および保持部を示す斜視図。
【図８】本実施形態の支持機構を示す斜視図。
【図９】本実施形態のロアーケースに配置された操作ユニットを示す斜視図。
【図１０】本実施形態の第２状態における操作ユニット近傍のプロジェクターを示す図。
【図１１】本実施形態の第１状態における操作ユニットを説明するための図。
【発明を実施するための形態】
【００２２】
以下、本実施形態に係るプロジェクターについて、図面を参照して説明する。
本実施形態のプロジェクターは、光源から射出された光を画像情報に応じて変調し、変調した光をスクリーン等の投写面に拡大投写する。
【００２３】
〔プロジェクターの主な構成〕
図１は、本実施形態のプロジェクターの概略構成を示す模式図である。
プロジェクター１は、図１に示すように、外装を構成する外装筐体２、制御部等を有する回路ユニット（図示省略）、光源装置３１を有する光学ユニット３、光源装置３１や回路ユニットに電力を供給する電源装置４、および操作ユニット５を備えている。なお、図示は省略するが、外装筐体２の内部には、さらに、光学ユニット３等を冷却する冷却装置等が配置されている。また、以下では、説明の便宜上、プロジェクター１から光が投写される方向を前側（＋Ｙ側）、机上等に据え置かれた据置き姿勢におけるプロジェクター１の上方を上側（＋Ｚ側）、据置き姿勢におけるプロジェクター１を前方からみて左側を＋Ｘ側として記載する。
【００２４】
図２は、本実施形態のプロジェクター１の外観を模式的に示す斜視図である。
外装筐体２は、合成樹脂製であり、図２に示すように、外装筐体２の上部を形成するアッパーケース２１、下部を形成するロアーケース２２、および前部を形成するフロントケース２３等を備えており、これらは、ネジ等により固定されている。アッパーケース２１は第１筐体に相当し、ロアーケース２２は第２筐体に相当する。
【００２５】
フロントケース２３には、投写用開口部２３１が形成されており、この投写用開口部２３１の内側には、光学ユニット３に備えられた投写レンズ３６が配置されている。そして、投写レンズ３６から射出された光は、この投写用開口部２３１を通過して前方に配置された投写面に投写される。
【００２６】
外装筐体２には、操作ユニット５を収納する収納部２５が設けられている。収納部２５は、ロアーケース２２＋Ｘ側の側面２２Ａ側の略中央部に設けられている。収納部２５の形状については、後で詳細に説明する。なお、図示は省略するが、外装筐体２には、外気を取り込むための吸気口、および外装筐体２内部の温まった空気を外部に排気する排気口等が設けられている。
【００２７】
回路ユニットは、回路基板および回路基板上に搭載された制御部等を有して構成されている。制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２８】
光学ユニット３は、制御部による制御の下、光源装置３１から射出された光を光学的に処理して投写する。
光学ユニット３は、図１に示すように、光源装置３１に加え、インテグレーター照明光学系３２、色分離光学系３３、リレー光学系３４、光学装置３５、投写レンズ３６、およびこれらの光学部品を光路上の所定位置に配置する光学部品用筐体３７を備える。
【００２９】
光源装置３１は、超高圧水銀ランプやメタルハライドランプ等からなる放電型の光源３１１、リフレクター３１２および平行化レンズ３１３等を備えている。光源装置３１は、光源３１１から射出された光をリフレクター３１２にて反射した後、平行化レンズ３１３よって射出方向を揃え、インテグレーター照明光学系３２に向けて射出する。
【００３０】
インテグレーター照明光学系３２は、第１レンズアレイ３２１、第２レンズアレイ３２２、偏光変換素子３２３、および重畳レンズ３２４を備える。第１レンズアレイ３２１、第２レンズアレイ３２２は、重畳レンズ３２４とともに、光源装置３１から射出された光を後述する液晶パネルの表面に略重畳させる。偏光変換素子３２３は、第２レンズアレイ３２２から射出されたランダム光を液晶パネルで利用可能な略１種類の偏光光に揃える機能を有する。
【００３１】
色分離光学系３３は、２枚のダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する機能を有する。
【００３２】
リレー光学系３４は、入射側レンズ３４１、リレーレンズ３４３、および反射ミラー３４２，３４４を備え、色分離光学系３３で分離されたＲ光をＲ光用の液晶パネルまで導く機能を有する。なお、光学ユニット３は、リレー光学系３４がＲ光を導く構成としているが、これに限らず、例えば、Ｂ光を導く構成としてもよい。
【００３３】
光学装置３５は、各色光用に設けられた光変調装置３５１（Ｒ光用の光変調装置を３５１Ｒ、Ｇ光用の光変調装置を３５１Ｇ、Ｂ光用の光変調装置を３５１Ｂとする）、および色合成光学装置としてのクロスダイクロイックプリズム３５２を備えている。
各光変調装置３５１は、透過型の液晶パネル、液晶パネルの光入射側に配置された入射側偏光板、および液晶パネルの光射出側に配置された射出側偏光板を備え、各色光を画像情報に応じて変調する。
【００３４】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が光変調装置３５１Ｒ，３５１Ｂにて変調されたＲ光およびＢ光を反射し、光変調装置３５１Ｇにて変調されたＧ光を透過して、３色の変調光を合成する。
【００３５】
投写レンズ３６は、複数のレンズ（図示省略）を有して構成され、クロスダイクロイックプリズム３５２にて合成された光をスクリーン上に拡大投写する。
【００３６】
操作ユニット５は、図２に示すように、入力操作される入力操作部５０および入力操作部５０を保持する保持部６を備え、外装筐体２の収納部２５に収納可能に配置される。
入力操作部５０は、プロジェクター１の各種設定を行うためのメニュー画像の表示／非表示を切り替えるメニューキー、入力ソースを切り替えるソース切替えキー等、各種指示を行うための複数のキー５１を備えている。
操作ユニット５は、保持部６が回転可能に構成されており、入力操作部５０が外装筐体２に覆われて収納部２５に収納される第１状態と、図２に示すように、入力操作部５０が露出する第２状態とが切り替え可能に構成されている。
【００３７】
〔収納部の詳細〕
ここで、外装筐体２の収納部２５について詳細に説明する。
収納部２５は、操作ユニット５が収納されると共に、アッパーケース２１とロアーケース２２とを固定する固定部としてのネジ２ＳＣ（図１０（ａ）参照）が配置されるように形成されている。
図３は、収納部２５近傍のロアーケース２２の斜視図であり、（ａ）はロアーケース２２を外側から見た図、（ｂ）はロアーケース２２を内側から見た図である。
【００３８】
収納部２５は、図３に示すように、ロアーケース２２の側面２２Ａより凹みＹ−Ｚ平面に略沿うように形成された奥壁部２５Ａ、奥壁部２５Ａの前後に位置し、奥壁部２５Ａと側面２２Ａとに接続される前壁部２５Ｂ、後壁部２５Ｃ、および奥壁部２５Ａの上側に位置し、奥壁部２５Ａ、前壁部２５Ｂ、後壁部２５Ｃに接続される上壁部２５Ｄで囲まれて形成されている。
【００３９】
上壁部２５Ｄは、アッパーケース２１の下端と組み合わされるロアーケース２２の上端より上方に突出しており、図３（ｂ）に示すように、−Ｘ側の両角部には、平面視矩形状の矩形孔２５１が形成されている。
上壁部２５Ｄには、各矩形孔２５１の−Ｘ側に凹部２５２が形成されている。そして、凹部２５２におけるＹ−Ｚ平面に沿う立壁には、Ｘ方向に貫通するネジ挿通孔２５２Ｈが形成され、凹部２５２におけるＸ−Ｙ平面に略沿う面には、上方（＋Ｚ方向）に突出するナット保持部２５３が設けられている。
【００４０】
ネジ挿通孔２５２Ｈは、アッパーケース２１とロアーケース２２とを固定するネジ２ＳＣが挿通される。
ナット保持部２５３は、平面視矩形の板金にネジ孔が形成された板ナット２５２Ｎ（図１０（ａ）参照）を保持する部位であり、上方から挿入された板ナット２５２Ｎの周囲を囲むように突出し、中央には、ネジ挿通孔２５２Ｈから挿通されたネジ２ＳＣが通過する凹部が形成されている。
【００４１】
奥壁部２５Ａには、図３に示すように、平面視矩形状の３つの孔２５４が形成されている。具体的に、奥壁部２５Ａには、上壁部２５Ｄ近傍に１つの孔２５４、ロアーケース２２の下端近傍に２つの孔２５４が形成されている。そして、各孔２５４の−Ｘ側には、図３（ｂ）に示すように、上方に延出し、丸穴が形成された円柱状のボス２５５が設けられている。
【００４２】
上壁部２５Ｄは、図３（ｂ）に示すように、側面２２Ａ側が前壁部２５Ｂおよび後壁部２５Ｃの上端が露出するように形成されている。そして、露出する前壁部２５Ｂおよび後壁部２５Ｃの上端には、断面視Ｕ字状の軸受部２５６がそれぞれ形成されている。軸受部２５６は、後述するカバー８の軸部８２（図５参照）が係合可能に形成されている。
【００４３】
図４は、収納部２５近傍のアッパーケース２１の斜視図である。
アッパーケース２１の＋Ｘ側の側面２１Ａは、ロアーケース２２の側面２２Ａと滑らかに繋がる形状を有している。アッパーケース２１には、図４に示すように、内面側から突出し、ロアーケース２２の矩形孔２５１（図３（ｂ）参照）に挿入される接続部２１１が設けられている。接続部２１１には、アッパーケース２１とロアーケース２２とが組み合わされた際にロアーケース２２のネジ挿通孔２５２Ｈと中心軸が同軸となるネジ挿通孔２１１Ｈが形成されている。
また、アッパーケース２１には、接続部２１１から側面２１Ａに向かって延出する支持部２１２が形成されている。
【００４４】
〔操作ユニットの詳細〕
次に、操作ユニット５について詳細に説明する。
図５は、操作ユニット５の第２状態を示す斜視図であり、（ａ）は操作ユニット５を外側から見た図、（ｂ）は操作ユニット５を内側から見た図である。図６は、操作ユニット５の第２状態を示す断面図である。
操作ユニット５は、図５、図６に示すように、入力操作部５０および保持部６に加え、支持機構７、およびカバー８を備えている。
【００４５】
図７は、入力操作部５０および保持部６を示す斜視図である。
入力操作部５０は、図６、図７に示すように、複数のキー５１に加え、パネル枠５２、回路基板５３およびフレキシブル基板５４を備えている。
【００４６】
パネル枠５２は、上面部５２１および側面部５２２を有して断面がＬ字状に形成されている。上面部５２１には、複数のキー５１に対応する孔が形成され、各キーは、上面部５２１の下方に配置され、先端がこの孔から露出する。キー５１の上面や、上面部５２１には、印刷等によりアイコンや文字等が表記されている。
また、側面部５２２には、図７に示すように、前後方向における中央部に位置し、上面部５２１近傍に形成された突起部５２３が設けられている。
【００４７】
回路基板５３には、各キー５１に対応して押圧スイッチが実装されており、回路基板５３は、ネジによってパネル枠に固定される。
フレキシブル基板５４は、回路基板５３と回路ユニットとを接続する。入力操作部５０は、キー５１が押圧されると、押圧されたキー５１に対応する信号を回路ユニットの制御部に出力する。
入力操作部５０は、図７に示すように、キー５１が上側を向き、パネル枠５２の側面部５２２が外装筐体２の内側を向くように配置され、側面部５２２に形成された孔にネジ５ＳＣが挿通されて保持部６に固定される。
【００４８】
保持部６は、入力操作部５０を保持し、支持機構７に対して回転可能に構成されている。
保持部６は、図５（ａ）、図７に示すように、本体部６１、ガイド部６２、および係合部６３を有している。
本体部６１は、外面部６１１、および外面部６１１内側の前後の端部から外装筐体２の内部に向かって突出する２つの壁部６１２を有し、上端部に入力操作部５０が固定される。
【００４９】
外面部６１１は、第１状態において、収納部２５を閉塞し、ロアーケース２２の側面２２Ａに倣う外面６１１Ａを有している。つまり、外面部６１１は、外装筐体２の一部を形成することとなる。
保持部６は、押圧されることで回転するように構成されており、外面６１１Ａには、図５（ａ）に示すように、保持部６が回転される際に押圧される箇所の目安となる凹部６１１Ｂが形成されている。凹部６１１Ｂは、入力操作部５０部近傍に形成されている。
【００５０】
２つの壁部６１２は、第１状態において、収納部２５に収納され、第２状態において、一部が露出する。２つの壁部６１２には、図７に示すように、下端部近傍に前後方向に貫通する丸孔６１２Ｈが形成され、中央部の互いに対向する面には、対向する面に向かって突出する円柱形の係止部６１３が設けられている。
【００５１】
ガイド部６２は、図７に示すように、外面部６１１内側の略中央部に突出して設けられ、上端には、丸孔６１２Ｈの中心軸を中心とするギア６２Ｇが形成されている。
係合部６３は、図７に示すように、外面部６１１の内側から突出し、パネル枠５２の側面部５２２下方のガイド部６２近傍に形成されている。係合部６３は、先端部に凹部が形成されており、この凹部は、第１状態において、支持機構７の後述するラッチ７３に係止される。
【００５２】
支持機構７は、保持部６を回転可能に支持すると共に、保持部６の第１状態、第２状態を維持するように構成されている。
図８は、支持機構７を示す斜視図である。
支持機構７は、図５（ｂ）、図８に示すように、支持本体７１、支持軸７２、ラッチ７３、ダンパー７４、および付勢部としてのねじりコイルバネ７５を備えている。
【００５３】
支持本体７１は、ロアーケース２２に固定される部材であり、図５（ｂ）に示すように、保持部６の前後の壁部６１２の間に配置可能に形成されている。
支持本体７１には、図５（ｂ）に示すように、―Ｘ側に突出する３つの取付部７１１が形成されている。３つの取付部７１１は、ロアーケース２２の３つのボス２５５（図３（ｂ）参照）に対応しており、各取付部７１１には、支持本体７１がロアーケース２２に組み込まれた際に、ボス２５５に設けられた丸穴と中心軸が同軸となるネジ挿通孔７１１Ｈが形成されている。
【００５４】
支持本体７１の下端部近傍には、図８に示すように、＋Ｙ方向および−Ｙ方向にそれぞれ突出する一対の円筒部７１２が形成されている。一対の円筒部７１２は、同軸の中心軸を有し、一対の円筒部７１２には、この中心軸を中心とする丸孔が形成されている。そして、一対の円筒部７１２は、図５（ｂ）に示すように、それぞれがねじりコイルバネ７５に挿入される。
【００５５】
支持軸７２は、保持部６の丸孔６１２Ｈ、および支持本体７１の円筒部７１２の丸孔に挿入され、保持部６を回転可能に支持する。
【００５６】
ラッチ７３は、図８に示すように、保持部６の係合部６３（図７参照）が挿入される開口部が＋Ｘ側となるように支持本体７１に取り付けられる。ラッチ７３は、係合部６３が内部に挿入されることにより、係合部６３を係止し、保持部６の第１状態を維持する。そして、ラッチ７３は、係合部６３が係止された状態で保持部６が押圧されると、係合部６３の係止を解除する。
【００５７】
ねじりコイルバネ７５は、支持本体７１の円筒部７１２が挿通され、一方の端部が支持本体７１に係止され、他方の端部が保持部６に係止される。そして、ねじりコイルバネ７５は、支持本体７１に対して保持部６が開く方向に保持部６を付勢する。また、ねじりコイルバネ７５に付勢された保持部６は、図５（ｂ）に示すように、係止部６１３が支持本体７１に当接してそれ以上の回転が規制され、第２状態が維持される。なお、付勢部としてねじりコイルバネ７５に限らず、圧縮コイルバネや板バネを利用したものであってもよい。
【００５８】
ダンパー７４は、図６、図８に示すように、歯車７４１を有するロータリー式で構成され、歯車７４１が保持部６のギア６２Ｇに噛合されるように、支持本体７１に取り付けられる。ダンパー７４は、係合部６３のラッチ７３に対する係止が解除され、ねじりコイルバネ７５の付勢によって回転する保持部６の急激な回転を抑制する。
【００５９】
支持機構７は、入力操作部５０を保持する保持部６が組み込まれた状態、つまり保持部６を支持した状態でロアーケース２２に組み込まれる。具体的に、支持機構７は、支持本体７１の取付部７１１（図５（ｂ）参照）がロアーケース２２の孔２５４（図３（ａ）参照）から挿通され、ネジ挿通孔７１１Ｈから挿通されたネジがボス２５５の丸穴に挿入されてロアーケース２２に固定される。なお、支持機構７は、第２状態の方が第１状態より保持部６が遠ざかるので、ネジ挿通孔７１１Ｈにネジを挿通し易く、第２状態でロアーケース２２に固定される。
【００６０】
カバー８は、第２状態において収納部２５の一部を覆うように形成されている。カバー８は、アッパーケース２１とロアーケース２２とによって支持され、保持部６の回転に連動して回転する。
カバー８は、図５に示すように、平面視矩形状のカバー本体８１、およびカバー本体８１の一方の端部側に形成された軸部８２を有している。
カバー本体８１は、奥壁部２５Ａ（図３（ａ）参照）の上壁部２５Ｄ近傍を覆う大きさに形成されている。具体的に、カバー本体８１は、前壁部２５Ｂと後壁部２５Ｃとの間に位置し、第２状態において、ネジ挿通孔２５２Ｈに挿通されるネジ２ＳＣおよび上壁部２５Ｄ近傍の孔２５４を覆う大きさに形成されている。そして、カバー本体８１の軸部８２が形成されている端部とは反対側の端部８１１は、図６に示すように、＋Ｘ側に突出している。
【００６１】
また、カバー本体８１には、図５（ｂ）に示すように、端部８１１から軸部８２とは反対方向に突出する突起部８１２が形成されている。突起部８１２は、図５（ａ）に示すように、カバー本体８１の＋Ｘ側の面の途中まで延出しており、パネル枠５２の突起部５２３に対応する位置に形成されている。
【００６２】
軸部８２は、図５に示すように、カバー本体８１から＋Ｙ方向、−Ｙ方向にそれぞれ突出して一対設けられている。
【００６３】
図９は、ロアーケース２２に配置された操作ユニット５を示す斜視図である。
カバー８は、支持機構７がロアーケース２２に固定された後、図９に示すように、軸部８２がロアーケース２２の軸受部２５６に載置される、そして、カバー８は、アッパーケース２１がロアーケース２２に固定されることによって、軸部８２がアッパーケース２１の支持部２１２（図４参照）と、ロアーケース２２の軸受部２５６とに軸支され、回転可能に配置される。
【００６４】
ここで、収納部２５におけるアッパーケース２１とロアーケース２２との固定について説明する。
収納部２５におけるアッパーケース２１とロアーケース２２との固定は、第２状態で行われる。
図１０は、第２状態の操作ユニット５近傍のプロジェクター１を示す図であり、（ａ）は前方から見た断面図、（ｂ）は左方から見た平面図である。
第２状態では、図１０（ａ）に示すように、入力操作部５０が露出し、アッパーケース２１と操作ユニット５との間に開口部が設けられた状態となる。
【００６５】
収納部２５におけるアッパーケース２１とロアーケース２２との固定は、アッパーケース２１と操作ユニット５との間に設けられた開口部からドライバー１００が挿入されて行われる。
具体的に、図１０（ａ）に示すように、アッパーケース２１と操作ユニット５との間の開口部から挿入されたドライバー１００等によってカバー８が押されると、カバー８は、図１０（ａ）の図面視における反時計回りに回転し、アッパーケース２１の接続部２１１が露出する。そして、接続部２１１に設けられたネジ挿通孔２１１Ｈにネジ２ＳＣが挿通され、ネジ２ＳＣが板ナット２５２Ｎに螺合されると、収納部２５におけるアッパーケース２１とロアーケース２２とは固定される。
【００６６】
そして、ドライバー１００がアッパーケース２１と操作ユニット５との間の開口部から引き出されると、カバー８は、自重により図１０（ａ）の図面視における時計回りに回転し、突起部８１２がパネル枠５２の突起部５２３に当接して収納部２５の一部を覆う状態が維持される。具体的に、カバー８は、第２状態で、図１０に示すように、ネジ２ＳＣや接続部２１１、アッパーケース２１近傍の孔２５４等を覆う。つまり、カバー８は、アッパーケース２１と操作ユニット５との間の開口部から視認可能な収納部２５の領域を覆う。なお、図示は省略するが、アッパーケース２１とロアーケース２２とは、収納部２５以外の箇所でもロアーケース２２の下方等から挿入されたネジによって固定される。
【００６７】
〔操作ユニットの動作〕
次に、操作ユニット５の動作について説明する。
操作ユニット５は、保持部６が押圧されることにより、保持部６が支持機構７に対して回転し、第１状態と第２状態とが切り替えられる。
図１１は、第１状態の操作ユニット５を説明するための図であり、（ａ）は、操作ユニット５の断面図、（ｂ）は、操作ユニット５近傍のプロジェクター１の斜視図である。
【００６８】
入力操作部５０を保持する保持部６は、図１０（ａ）に示す第２状態から外装筐体２内部側に押圧されると、図１０（ａ）の図面視において、時計回りに回転する。突起部８１２がパネル枠５２に当接しているカバー８は、保持部６に押圧されて、図１０（ａ）の図面視において、反時計回りに回転する。なお、保持部６は、ギア６２Ｇがダンパー７４に噛合しているので、急激に回転せず、滑らかに回転する。
【００６９】
そして、保持部６は、図１１（ａ）に示すように、係合部６３がラッチ７３に係合するまで回転されると、図１１（ｂ）に示すように外面６１１Ａがロアーケース２２の側面２２Ａに倣い、収納部２５に収納された第１状態となる。また、保持部６の上端は、第１状態で、ロアーケース２２の上端と略揃うように配置される。つまり、保持部６は、第１状態において収納部２５を覆うこととなり、収納部２５内に配置されるネジ２ＳＣや接続部２１１、孔２５４等の構成要素が外部から見えない状態となる。
カバー８は、第１状態で収納部２５に収納され、入力操作部５０は、外装筐体２に覆われた状態となる。また、カバー８は、図１１（ａ）に示すように、入力操作部５０の上方に位置し、第１状態においても、突起部８１２がパネル枠５２の突起部５２３に当接し、各キー５１およびパネル枠５２の上面部５２１から離間して配置される。
【００７０】
第１状態から保持部６が押圧されると、ラッチ７３は、係合部６３を係止した状態を解除する。保持部６は、係合部６３のラッチ７３との係合が解除されると、ねじりコイルバネ７５に付勢され、外面６１１Ａがロアーケース２２の側面２２Ａから飛び出すように回転する。そして、保持部６は、図５（ｂ）に示すように、係止部６１３が支持本体７１に当接してそれ以上の回転が規制され、第２状態となる。なお、保持部６は、第２状態から第１状態に切り替えられる場合と同様に、ギア６２Ｇがダンパー７４に噛合しているので、急激に回転せず、滑らかに回転する。
【００７１】
第２状態において、入力操作部５０は、図１０（ａ）に示すように、保持部６の上側に位置し、各キー５１は、上方からの押圧で操作されることとなる。また、入力操作部５０は、図１０（ａ）に示すように、Ｘ−Ｙ平面に対して、内側（−Ｘ側）が外側（＋Ｘ側）より上方（＋Ｚ方向）に位置するように傾斜して配置されている。入力操作部５０が傾斜して配置されることにより、入力操作部５０を操作するユーザーへの各キー５１の視認性の向上、およびキー５１を押圧する押圧力が−Ｚ方向より支持軸７２側に傾斜した方向に加わるようにして保持部６への負荷の低減が図られている。
【００７２】
カバー８は、第１状態から保持部６が回転すると、保持部６からの押圧が解除されるので、自重により回転し、前述したように、収納部２５の一部を覆う状態となる。また、カバー８の端部８１１は、図１０（ａ）に示すように、第２状態において、パネル枠５２側に突出しているので、カバー８とパネル枠５２との間の隙間が狭められ、この隙間から外装筐体２内部の視認ができないようになっている。
【００７３】
このように、操作ユニット５は、保持部６が押圧されることにより、保持部６が支持機構７に対して回転し、第１状態と第２状態とが切り替えられる。そして、保持部６は、第２状態における外装筐体２に対する飛び出し量が第１状態における外装筐体２に対する飛び出し量より大きくなる。操作ユニット５は、第１状態において、入力操作部５０が外装筐体２に覆われて、外部に露出しない状態となり、第２状態において、入力操作部５０が露出する。カバー８は、第１状態と第２状態との切り替えのために移動する保持部６の押圧、および押圧の解除により保持部６に連動して保持部６の回転方向とは反対方向に回転し、第１状態において、収納部２５に収納され、第２状態において、収納部２５の一部を覆う。
【００７４】
以上説明したように、本実施形態によれば、以下の効果を得ることができる。
（１）保持部６は、第１状態で、収納部２５に収納されて入力操作部５０が外装筐体２に覆われ、カバー８は、外装筐体２に収納される。これによって、プロジェクター１のデザイン上の制約となる入力操作部５０を隠蔽し、入力操作部５０を使用しない状態におけるプロジェクター１のデザインの自由度を向上させることができる。
また、カバー８は、第２状態で、ネジ２ＳＣや接続部２１１、孔２５４等の構成要素を覆うので、プロジェクター１の見栄えを損なうことなく入力操作部５０を操作可能な状態にすることが可能となる。
したがって、収納部２５内に外観上、見栄えを損なう要素を配置する構成が可能となるので、アッパーケース２１とロアーケース２２との強固な固定、および外観デザインの向上を図ったプロジェクター１の提供が可能となる。また、入力操作部５０を使用しない状態における入力操作部５０の保護や塵埃等の付着、および入力操作部５０の誤操作を防止できる。
【００７５】
（２）カバー８は、第１状態と第２状態との切り替えのために移動する保持部６の押圧、および押圧の解除により回転する。これによって、カバー８を保持部６の移動に容易に連動させ、第１状態においてカバー８を外装筐体２に収納し、第２状態においてカバー８を、収納部２５の一部を覆うように配置させることができる。
【００７６】
（３）保持部６は、第２状態において、アッパーケース２１との間に開口部が設けられ、外装筐体２外部からドライバー１００を収納部２５内に挿入可能とするように構成されている。これによって、保持部６を第２状態にすることで、収納部２５内におけるアッパーケース２１とロアーケース２２との固定を容易に行うことができる。
【００７７】
（４）支持機構７に保持部６を回転可能に支持する構成が盛り込まれ、支持機構７は、保持部６を回転可能に支持した状態でロアーケース２２に組み込まれるように構成されている。そして、ロアーケース２２には、支持機構７を取り付けるための孔２５４やボス２５５等が設けられている。これによって、ロアーケース２２に保持部６を回転可能に支持する構成を盛り込む必要がないので、ロアーケース２２等の構造や形状の簡素化、および保持部６のロアーケース２２への組み込み作業の容易化が可能となる。
【００７８】
（５）カバー８は、固定部としてのネジ２ＳＣによって固定されるアッパーケース２１およびロアーケース２２を利用して、回転可能に支持されるので、保持部６の押圧、および押圧の解除に連動させてカバー８を容易に回転させることができる。
【００７９】
（６）入力操作部５０は、入力操作が可能な第２状態において、保持部６の上側に配置されるので、プロジェクター１を机上等に設置した場合等に、入力操作部５０を操作するユーザーが容易に入力操作部５０を視認して操作することができる。
【００８０】
（７）カバー８は、第１状態および第２状態の双方において、突起部８１２がパネル枠５２の突起部５２３に当接して、キー５１やパネル枠５２の上面部５２１に接触しないように形成されている。これによって、キー５１やパネル枠５２の上面部５２１の損傷を防止することができる。
【００８１】
（変形例）
なお、前記実施形態は、以下のように変更してもよい。
前記実施形態の保持部６は、回転によって第１状態と第２状態とが切り替わるように構成されているが、保持部がスライドすることによって第１状態と第２状態とが切り替わるように構成し、このスライドに連動してカバーが回転するように構成してもよい。
【００８２】
前記実施形態の保持部６は、外装筐体２の側面２２Ａに設けられているが、外装筐体２の上面や前面、あるいは後面に設けてもよい。
【００８３】
前記実施形態のカバー８は自重によって回転するように構成されているが、カバー８を保持部６側に付勢する付勢部材を備える構成としてもよい。これによって、プロジェクター１が据置き姿勢とは異なる姿勢、例えば、据置き姿勢に対し、プロジェクター１が上下反転される姿勢においても確実にカバー８で収納部２５の一部を覆うことが可能となる。
【００８４】
前記実施形態では、保持部６に連動してカバー８が回転するように構成されているが、保持部に連動してカバーがスライドし、第１状態においてカバーが外装筐体２に収納され、第２状態において、カバーが収納部２５の一部を覆うように構成してもよい。
【００８５】
前記実施形態の保持部６は、支持機構７に支持された状態でロアーケース２２に組み込まれるように構成されているが、ロアーケースに保持部を回転可能に支持する支持部を設け、この支持部に保持部を組み込むように構成してもよい。
【００８６】
前記実施形態の入力操作部５０は、保持部６の上端部に保持されているが、２つの壁部６１２のうちの前側の壁部６１２に入力操作部５０を配置するように構成してもよい。
【００８７】
前記実施形態のプロジェクター１は、光変調装置として透過型の液晶パネルを用いているが、反射型の液晶パネルを利用したものであってもよい。また、光変調装置としてマイクロミラー型の光変調装置、例えば、ＤＭＤ（Digital Micromirror Device）等を利用したものであってもよい。
【００８８】
前記実施形態の光変調装置は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
【００８９】
光源装置は、放電型の光源を用いたものに限らず、その他の方式のランプや発光ダイオード、レーザー等の固体光源で構成してもよい。
【符号の説明】
【００９０】
１…プロジェクター、２…外装筐体、３…光学ユニット、２ＳＣ…ネジ、５…操作ユニット、６…保持部、７…支持機構、８…カバー、２１…アッパーケース、２１Ａ，２２Ａ…側面、２２…ロアーケース、２３…フロントケース、２５…収納部、５０…入力操作部、５１…キー、５２…パネル枠、６１…本体部、６２…ガイド部、６２Ｇ…ギア、６３…係合部、７１…支持本体、７２…支持軸、７３…ラッチ、７４…ダンパー、７５…ねじりコイルバネ、８１…カバー本体、８２…軸部、２１１…接続部、２１２…支持部、２５２Ｎ…板ナット、２５６…軸受部、３１１…光源、３５１…光変調装置、６１３…係止部、７１１…取付部、７１１Ｈ…ネジ挿通孔、７１２…円筒部、７４１…歯車、８１２…突起部。
【図１】
2014228618.tif 000003
【図２】
2014228618.tif 000004
【図３】
2014228618.tif 000005
【図４】
2014228618.tif 000006
【図５】
2014228618.tif 000007
【図６】
2014228618.tif 000008
【図７】
2014228618.tif 000009
【図８】
2014228618.tif 000010
【図９】
2014228618.tif 000011
【図１０】
2014228618.tif 000012
【図１１】
2014228618.tif 000013